【手続補正書】
【提出日】平成18年8月4日(2006.8.4)
【手続補正１】
【補正対象書類名】明細書
【補正対象項目名】請求項３
【補正方法】変更
【補正の内容】
【請求項３】  請求項２において、前記潤滑用流体の温度を検出する流体温度検出手段と、
加工形状の変更装置が設置される雰囲気の温度を直接的又は間接的に検出する雰囲気温度検出手段と、
雰囲気温度検出手段により検出された雰囲気温度と、流体温度検出手段により検出された潤滑用流体の温度との差に応じて温度変更器により潤滑用流体の温度を変更するガイドレール制御手段と
を備えた加工機における加工形状の変更装置。
【手続補正２】
【補正対象書類名】明細書
【補正対象項目名】請求項６
【補正方法】変更
【補正の内容】
【請求項６】  請求項３又は４において、前記雰囲気温度検出手段は機台の温度を検出する加工機における加工形状の変更装置。
【手続補正３】
【補正対象書類名】明細書
【補正対象項目名】請求項１０
【補正方法】変更
【補正の内容】
【請求項１０】  請求項１において、前記走行体としてのテーブルを上下に分割し、その分割されたテーブルの間に変更手段を介在させた加工機における加工形状の変更装置。
【手続補正４】
【補正対象書類名】明細書
【補正対象項目名】００１１
【補正方法】変更
【補正の内容】
【００１１】
請求項３に記載の発明は、請求項２において、前記潤滑用流体の温度を検出する流体温度検出手段と、加工形状の変更装置が設置される雰囲気の温度を直接的又は間接的に検出する雰囲気温度検出手段と、雰囲気温度検出手段により検出された雰囲気温度と、流体温度検出手段により検出された潤滑用流体の温度との差に応じて温度変更器により潤滑用流体の温度を変更するガイドレール制御手段とを備えたことを要旨とする。
【手続補正５】
【補正対象書類名】明細書
【補正対象項目名】００１３
【補正方法】変更
【補正の内容】
【００１３】
請求項５に記載の発明は、請求項２〜４のいずれかにおいて、前記複数の構成体は、それぞれ走行体との摺動面を有することを要旨とする。
請求項６に記載の発明は、請求項３又は４において、前記雰囲気温度検出手段は機台の温度を検出することを要旨とする。
【手続補正６】
【補正対象書類名】明細書
【補正対象項目名】００１６
【補正方法】変更
【補正の内容】
【００１６】
請求項９に記載の発明は、請求項１において、前記変更手段は機台とガイドレールとの間に設けられていることを要旨とする。
請求項１０に記載の発明は、請求項１において、前記走行体としてのテーブルを上下に分割し、その分割されたテーブルの間に変更手段を介在させたことを要旨とする。
【手続補正７】
【補正対象書類名】明細書
【補正対象項目名】００８０
【補正方法】変更
【補正の内容】
【００８０】
請求項３に記載の発明によれば、請求項２に記載の発明の効果に加えて、加工形状の変更装置は、流体温度検出手段と、雰囲気温度検出手段と、ガイドレール制御手段とを備えるため、ガイドレールの反り具合を自動調節することが可能となる。
【手続補正８】
【補正対象書類名】明細書
【補正対象項目名】００８１
【補正方法】変更
【補正の内容】
【００８１】
請求項４に記載の発明によれば、請求項３に記載の発明の効果に加えて、ガイドレールの制御は、雰囲気温度と潤滑用流体の温度との差で行うため、雰囲気温度が変化されたとしても、ガイドレールの反り具合を一定に維持することができる。
【手続補正９】
【補正対象書類名】明細書
【補正対象項目名】００８２
【補正方法】変更
【補正の内容】
【００８２】
請求項５に記載の発明によれば、請求項２〜４のいずれか一項に記載の発明の効果に加えて、潤滑用流体の温度が複数の構成体に直接伝達されるため、潤滑用流体の温度変化に基づく両者のバイメタル作用がレスポンス良く行われる。
【手続補正１０】
【補正対象書類名】明細書
【補正対象項目名】００８３
【補正方法】変更
【補正の内容】
【００８３】
請求項６に記載の発明によれば、請求項３又は４に記載の発明の効果に加えて、雰囲気温度検出手段は機台の温度を検出することにより代えられるため、雰囲気温度が不安定な状況においても、ガイドレールの反りを良好に制御することができる。
【手続補正１１】
【補正対象書類名】明細書
【補正対象項目名】００８４
【補正方法】変更
【補正の内容】
【００８４】
請求項７に記載の発明によれば、請求項２〜４のいずれか一項に記載の発明の効果に加えて、複数の構成体が、垂直方向において積層状態に配置されている。そのため、各構成体によるバイメタル構造は、潤滑用流体の温度を好適に調節すれば、機台の撓みに応じたガイドレールの下方への反りを修正可能である。
【手続補正１２】
【補正対象書類名】明細書
【補正対象項目名】００８５
【補正方法】変更
【補正の内容】
【００８５】
請求項８に記載の発明によれば、請求項２〜４のいずれか一項に記載の発明の効果に加えて、ガイドレールと走行体との摺動面間に静圧流体薄膜が介在するため、走行体がガイドレールから浮遊され、両者の摺動面間の低摩擦摺動性が向上される。
【手続補正１３】
【補正対象書類名】明細書
【補正対象項目名】００８６
【補正方法】変更
【補正の内容】
【００８６】
請求項９に記載の発明によれば、請求項１に記載の発明の効果に加えて、変更手段を機台とガイドレールとの間に容易に介在することができる。
請求項１０に記載の発明によれば、請求項１に記載の発明の効果に加えて、テーブルの形状を直接変更するので、ワークの加工形状の変更精度を向上することができる。
【手続補正１４】
【補正対象書類名】明細書
【補正対象項目名】００８７
【補正方法】変更
【補正の内容】
【００８７】
請求項１１に記載の発明によれば、請求項９又は１０に記載の発明の効果に加えて、電歪素子によりワークの加工形状の変更精度をさらに向上することができる。
請求項１２に記載の発明によれば、請求項１１に記載の発明の効果に加えて、複数の電歪素子によりワークの加工形状を所望する形状に容易に変更することができる。
【手続補正１５】
【補正対象書類名】明細書
【補正対象項目名】００８８
【補正方法】変更
【補正の内容】
【００８８】
請求項１３に記載の発明では、請求項１に記載の発明の効果に加えて、機台とガイドレールとの熱膨張率の差を利用してワークの加工形状を変更することができる。
請求項１４に記載の発明では、請求項１３に記載の発明の効果に加えて、機台又はガイドレールの温度を変更してワークの加工形状を容易に変更することができる。
【手続補正１６】
【補正対象書類名】明細書
【補正対象項目名】００８９
【補正方法】変更
【補正の内容】
【００８９】
請求項１５に記載の発明では、請求項１４に記載の発明の効果に加えて、ガイドレールとテーブルとの間の摺動部に供給される潤滑油の温度を調整することによりワークの加工形状を容易に変更することができる。
【手続補正１７】
【補正対象書類名】明細書
【補正対象項目名】００９０
【補正方法】変更
【補正の内容】
【００９０】
請求項１６に記載の発明では、請求項１４に記載の発明の効果に加えて、温度変更器として冷却器のみを用いて構成を簡素化することができる。
請求項１７に記載の発明では、請求項１４に記載の発明の効果に加えて、温度変更器として加熱器のみを用いて構成を簡素化することができる。
【手続補正１８】
【補正対象書類名】明細書
【補正対象項目名】００９１
【補正方法】変更
【補正の内容】
【００９１】
請求項１８に記載の発明では、請求項１に記載の発明の効果に加えて、反り量検出手段によりテーブル又はガイドレールの反り量を常時検出して、ワークの加工形状の変更動作を容易に行うことができる。
【手続補正１９】
【補正対象書類名】明細書
【補正対象項目名】００９２
【補正方法】変更
【補正の内容】
【００９２】
請求項１９に記載の発明では、請求項１８に記載の発明の効果に加えて、反り量検出手段を機台とテーブルの隙間を利用して容易に配置することができる。
請求項２０に記載の発明では、請求項１８に記載の発明の効果に加えて、反り量記検出手段の構成を簡素化することができる。
【手続補正２０】
【補正対象書類名】明細書
【補正対象項目名】００９３
【補正方法】変更
【補正の内容】
【００９３】
請求項２１に記載の発明では、請求項１９に記載の発明の効果に加えて、反り量検出素子の耐久性を向上することができる。
請求項２２に記載の発明では、請求項９、１０、１１、１２のいずれかに記載の構成と、請求項１３、１４、１５、１６、１７のいずれかに記載の構成とを組み合わせたので、ワークの加工形状の変更を広範囲に行うことができる。